(57)【特許請求の範囲】
【請求項１】
映像中に含まれる特定の特徴場面を検出する特徴場面検出方法において、
複数に分割して記録された映像中に含まれる特徴場面をその再生時刻を示す時刻情報と共に検出するステップと、前記複数に分割して記録された映像中に含まれる前記検出された複数の特徴場面を再生される順に並べ、当該複数の特徴場面の時刻情報が、前記並べられた順において隣り合った映像間で連続しているものとして単位時間あたりの特徴場面の検出回数を計数して検出頻度を求め、その検出頻度が所定のしきい値以上である特定の特徴場面のグループを分類して、当該グループの内容となる特徴場面を表す要素のリストを記録するステップとを有することを特徴とする特徴場面検出方法。
【請求項２】
映像中に含まれる特定の特徴場面を検出する特徴場面検出装置において、
複数に分割して記録された映像中に含まれる特徴場面をその再生時刻を示す時刻情報と共に検出する特徴場面検出処理部と、前記複数に分割して記録された映像中に含まれる前記検出された複数の特徴場面を再生される順に並べ、当該複数の特徴場面の時刻情報が、前記並べられた順において隣り合った映像間で連続しているものとして単位時間あたりの特徴場面の検出回数を計数して検出頻度を求め、その検出頻度が所定のしきい値以上である特定の特徴場面のグループを分類して、当該グループの内容となる特徴場面を表す要素のリストを記録する特徴場面分類処理部とを備えることを特徴とする特徴場面検出装置。
【請求項３】
映像中に含まれる特定の特徴場面を検出する特徴場面検出装置としてコンピュータを機能させるためのプログラムを記録したコンピュータ読み取り可能な記録媒体において、
複数に分割して記録された映像中に含まれる特徴場面をその再生時刻を示す時刻情報と共に検出する特徴場面検出処理部と、前記複数に分割して記録された映像中に含まれる前記検出された複数の特徴場面を再生される順に並べ、当該複数の特徴場面の時刻情報が、前記並べられた順において隣り合った複数の映像間で連続しているものとして単位時間あたりの特徴場面の検出回数を計数して検出頻度を求め、その検出頻度が所定のしきい値以上である特定の特徴場面のグループを分類して、当該グループの内容となる特徴場面を表す要素のリストを記録する特徴場面分類処理部としてコンピュータを機能させるためのプログラムを記録したことを特徴とする記録媒体。
【発明の詳細な説明】
【０００１】
【発明の属する技術分野】
本発明は映像の中に含まれる特徴場面を検出する特徴場面検出装置に関し、特に複数に分割して記録された映像を連続した１つの映像として扱って特徴場面を検出する特徴場面検出装置に適用して有効な技術に関するものである。
【０００２】
【従来の技術】
テレビの技術や演出手法が急速に進歩する一方で、アニメーション番組等に見られる点滅する光や、急激な場面変換等の映像の特殊効果が一部の視聴者の健康を損ねる事態が起きている。
【０００３】
従来の技術では、上記の様な特殊効果を「放送技術 1998 VOL．51 NO9 特集IIアニメ番組等の点滅映像検出」に記載されている様な装置により検出を行っており、この装置では、検出対象となる映像の中から、この装置に予め指定しておいた条件と一致する映像の一部（特徴場面）を検出し、その検出結果（検出した映像の各コマ、映像の検出時刻等）を、装置に付属のモニタやプリンタ等に出力している。
【０００４】
【発明が解決しようとする課題】
上記従来技術では、映像が複数に分割されて保存されているときに、それら複数の映像を一つの映像として検出処理を行うことができなかった。その為、映像作成の初期段階等で、点滅する光等の特殊効果が複数の映像に跨って存在している場合、その特殊効果が予め指定しておいた条件と一致するかどうかを判定することができないという問題がある。又、その特殊効果の内容を確認する場合、確認を行う利用者に危険を伴う場合があるという問題があった。
【０００５】
本発明の目的は上記問題を解決し、複数の映像に跨った特徴場面の検出を行うことが可能な技術を提供することにある。
【０００６】
本発明の他の目的は特徴場面の内容を確認する際に、確認者がその特徴場面の影響を受けない様に当該特徴場面の再生を行うことが可能な技術を提供することにある。
【０００７】
【課題を解決するための手段】
本発明は、映像中に含まれる特定の特徴場面を検出する特徴場面検出装置において、複数に分割して記録された映像を一連の映像と見なして特徴場面の検出を行うものである。
【０００８】
本発明では、複数に分割して記録された映像について、各映像に含まれる特徴場面をその再生時刻を示すタイムコード等の時刻情報と共に検出する。
【０００９】
次に、前記検出した特徴場面の時刻情報が複数の映像で連続しているものとして単位時間あたりの特徴場面の検出頻度を求める。例えば、第１の映像の最後から第２の映像の最初にかけて複数の特徴場面が検出されている場合には、それらのタイムコードが連続しているものとして、単位時間あたりの特徴場面の数を第１の映像の最後から第２の映像の最初にかけて計数してその検出頻度を求める。そして、前記求めた検出頻度が所定のしきい値以上であるものを特定の特徴場面のグループとして分類して記録する。
【００１０】
また、前記分類された特定の特徴場面のグループの内容を確認する際には、前記複数の映像から前記分類された特定の特徴場面のグループの映像を取得した後、前記取得した特定の特徴場面のグループを通常の再生方法とは異なる再生方法、例えばその場面の色とは異なる色や通常よりも低い速度を用いた再生方法で再生する。
【００１１】
以上の様に本発明の特徴場面検出装置によれば、複数に分割して記録された映像を一連の映像と見なして特徴場面の検出を行うので、複数の映像に跨った特徴場面の検出を行うことが可能である。
【００１２】
【発明の実施の形態】
以下に複数に分割して記録された映像を一連の映像と見なして特徴場面の検出を行う一実施形態の特徴場面検出装置について説明する。
【００１３】
図１は本実施形態の特徴場面検出装置１００のシステム構成を示す図である。
【００１４】
図１に示す様に本実施形態の特徴場面検出装置１００は、ＣＰＵ１０１と、メモリ１０２と、補助記憶装置１０３と、ディスプレイ装置１０４と、キーボード１０５と、マウス１０６と、映像入力装置１０７と、インタフェース１０８と、映像再生装置１０９とを有している。
【００１５】
ＣＰＵ１０１は、特徴場面検出装置１００全体の動作を制御する制御装置である。メモリ１０２は、特徴場面検出装置１００全体の動作を制御する為の各種プログラムをロードする記憶装置である。補助記憶装置１０３は、前記各種プログラムやデータを格納する記憶装置である。
【００１６】
ディスプレイ装置１０４は、特徴場面検出装置１００の出力結果を表示するＣＲＴ（Ｃａｔｈｏｄｅ  Ｒａｙ  Ｔｕｂｅ）等の出力装置である。キーボード１０５及びマウス１０６は、特徴場面検出装置１００に対する命令を入力する入力装置である。
【００１７】
映像入力装置１０７は、映像再生装置１０９から出力される映像信号をデジタル静止画像に変換して入力し、デジタル静止画像に対応したタイムコードを取得するキャプチャーボードである。
【００１８】
インタフェース１０８は、特徴場面検出装置１００から映像再生装置１０９の動作を制御したり、映像再生装置１０９から特徴場面検出装置１００に対する命令を送る為の装置である。映像再生装置１０９は、ビデオテープ等の媒体に記憶された検出対象となる映像を再生する為の装置である。なお前記映像を記録する媒体は、ビデオテープ以外の他の媒体でもよい。また、検出対象となる複数に分割された映像は、１つの媒体に格納されていても、複数の媒体に格納されていてもどちらでもよい。
【００１９】
また特徴場面検出装置１００は、特徴場面検出処理部１１０と、特徴場面分類処理部１１１と、映像取得処理部１１２と、特徴場面再生処理部１１３とを有している。
【００２０】
特徴場面検出処理部１１０は、複数に分割して記録された映像中に含まれる特徴場面をその再生時刻を示すタイムコード等の時刻情報と共に検出する処理部である。特徴場面分類処理部１１１は、前記検出した特徴場面の時刻情報が複数の映像で連続しているものとして単位時間あたりの特徴場面の検出頻度を求め、その検出頻度が所定のしきい値以上である特定の特徴場面のグループを分類して記録する処理部である。
【００２１】
映像取得処理部１１２は、映像中に含まれる特徴場面の内で、単位時間あたりの検出頻度が所定のしきい値以上である特定の特徴場面のグループを映像から取得する処理部である。特徴場面再生処理部１１３は、前記取得した特定の特徴場面のグループを通常の再生方法とは異なる再生方法で再生する処理部である。
【００２２】
特徴場面検出装置１００を特徴場面検出処理部１１０、特徴場面分類処理部１１１、映像取得処理部１１２及び特徴場面再生処理部１１３として機能させる為のプログラムは、ＣＤ−ＲＯＭ等の記録媒体に記録され磁気ディスク等に格納された後、メモリにロードされて実行されるものとする。なお前記プログラムを記録する記録媒体はＣＤ−ＲＯＭ以外の他の記録媒体でも良い。
【００２３】
映像再生装置１０９で再生される映像は、複数枚の静止画像で構成されており、各静止画像にはタイムコードが記憶されている。又、特徴場面検出装置１００に対する命令は、インタフェース１０８を介してこの映像再生装置１０９より行う場合もある。
【００２４】
キャプチャーボード等の映像入力装置１０７は、映像再生装置１０９から出力される映像信号を入力し、逐次、その映像の各コマをデジタル静止画像に変換して特徴場面検出装置１００の各処理部に送る。又、映像入力装置１０７では、映像信号よりデジタル静止画像に対応したタイムコードも取得する。
【００２５】
特徴場面検出装置１００の内部では、デジタル静止画像とタイムコードは、映像入力装置１０７を介してメモリ１０２に入り、メモリ１０２にロードされたプログラムに従ってＣＰＵ１０１によって処理される。ＣＰＵ１０１の処理内容に応じて、デジタル静止画像、タイムコード、ＣＰＵ１０１の処理結果の各種情報は、補助記憶装置１０３に記憶することができる。次に、この装置を用いた、ＣＰＵ１０１の処理内容について説明を行う。
【００２６】
図２は本実施形態の特徴場面検出処理の処理手順を示すフローチャートである。この処理は、ユーザが図１のマウス１０６又はキーボード１０５により検出処理開始を指示するか、図１の映像再生装置１０９より検出処理開始が指示されることにより実行される。
【００２７】
この処理が実行されると特徴場面検出処理部１１０は、複数の映像より検出の対象を一意に表す番号RollCntを設定する（ステップ２０１）。RollCntの設定方法は、映像の入力順序に従い、番号付けする方法が考えられる。次に、対象となる映像より、図１の映像入力装置１０７を介してデジタル静止画像ｆiとタイムコードＴＣiを取り込み（ステップ２０２）、ＴＣiをこの映像の先頭のタイムコード（ＴＣrs）として記憶する（ステップ２０３）。
【００２８】
次に、前記デジタル静止画像ｆiの特徴量を計算し（ステップ２０４）、その特徴量に基づき、ｆiを特徴場面として検出するか判断する（ステップ２０５）。その結果、特徴場面とする場合、 デジタル静止画像ｆiと、その特徴量と、そのタイムコードＴＣiを共にリストに追加する（ステップ２０６）。このリストは、特徴場面を検出した順序で管理している。更に、デジタル静止画像ｆiを図１のディスプレイ装置１０４に一覧表示する（ステップ２０７）。
【００２９】
続いてステップ２０８では、次のデジタル静止画像ｆi+1を処理するかどうかの判定を行うが、この時、ユーザが図１のマウス１０６又はキーボード１０５により検出処理終了を指示するか、図１の映像再生装置１０９より検出処理終了が指示された場合に検出処理は終了となり、続いてステップ２１１の処理を行う。
【００３０】
又、前記検出処理終了の指示がない場合、次のデジタル静止画像を読み込み（ステップ２０９及びステップ２１０）、ステップ２０４からの処理を続行する。
【００３１】
上記のステップ２０８の処理で検出処理が中止となった場合、検出処理が中止となった直前のタイムコードＴＣiを映像の終了のタイムコード（ＴＣre）として記憶する（ステップ２１１）。
【００３２】
図３は本実施形態の検出時のデータのデータ構造を示す図である。図３の要素３０１の様に、映像番号３０２と映像の開始のタイムコード３０３と終了のタイムコード３０４と、ステップ２０６で作成した特徴場面のリスト３０５を関連付けし、ＲＯＬＬリストの要素とする（ステップ２１２）。
【００３３】
検出時のデータを管理するＲＯＬＬリストは図３の様になっており、リストの先頭を指し示す先頭データ３０７から各映像を表す要素３０１を線形リストで管理している。先頭データ３０７は、先頭の要素３０１へのポインタと、要素の数で構成するものとし、要素３０１は、映像番号３０２と、その映像の開始のタイムコード３０３と終了のタイムコード３０４と特徴場面のリスト３０５と、次の要素へのポインタ３０６で構成するものとする。
【００３４】
そしてステップ２１３で特徴場面分類処理部１１１は、ＲＯＬＬリストの各要素の中の特徴場面３０８を先頭から順に並べ、特徴場面３０８のタイムコードが複数の映像で連続しているものとして１秒間あたりの特徴場面３０８の検出回数を計数し、その検出回数が予め設定しておいたしきい値以上の部分でまとめ、更にグループに分類する（ステップ２１３）。
【００３５】
図４は本実施形態の検出処理終了後のデータ構造を示す図である。前記グループに分類した結果は、図４の様なリストで管理される。図４について簡単に説明すると、グループリスト４０１はグループを表す要素４０２を管理するリストであり、又、グループを表す要素４０２は、グループの内容となる特徴場面を表す要素４０４のリスト４０３を管理している。この図の特徴場面を表す要素４０４の番号は、図３の特徴場面３０８の番号と対応している。これ以後、検出結果とは、ステップ２１３で作成したデータのことを示すことにする。
【００３６】
そしてステップ２１４で特徴場面検出処理部１１０は、ステップ２１３で作成した検出結果を表示する。ステップ２１５でユーザが他の映像中の特徴場面の検出処理を指示した場合にはステップ２０１に戻り、更に特徴場面検出処理を行う。
【００３７】
また、ユーザから特徴場面の検出終了指示が入力された場合には、特徴場面検出処理を終了する。
【００３８】
図５は、特徴場面検出装置１００のユーザインタフェースの一例を示す図である。ユーザは、図１のマウス１０６またはキーボード１０５を使い、マウスポインタ５０１を操作し、ユーザインタフェースの任意の位置をポイントする。
【００３９】
映像表示領域５０２は、対象となる映像と映像に付加されたタイムコードを表示する領域である。この領域には、検出時の検出対象となる映像と検出結果の確認対象となる映像が表示される。
【００４０】
検出操作開始ボタン５０３は、検出操作の開始を指示するボタンである。マウスポインタ５０１によりこのボタンを押下することにより、図２の特徴場面検出処理が開始される。又、検出操作終了ボタン５０４は、検出操作の終了を指示するボタンである。マウスポインタ５０１によりこのボタンを押下することにより、図２の特徴場面検出処理による検出を終了する。
【００４１】
特徴場面一覧領域５０５は、検出された特徴場面の一覧を表示する領域である。この領域には、図２の特徴場面検出処理の検出結果が表示される。映像と検出結果の対応を図６に示す。
【００４２】
図６は本実施形態の映像と特徴場面検出処理の検出結果の対応を示す図である。図６では、静止画像６０１及び６０２が輝度変化の激しさにより検出された例を表している。
【００４３】
スクロールバー５０６は、検出結果を表示する際に特徴場面一覧領域５０５に検出結果が全て入らない場合、使用される。ユーザインタフェースで使用するボタン、スクロールバーについては、通常のパーソナルコンピュータの処理で頻繁に見かけられるのでここでは詳細な説明は述べない。
【００４４】
グループアイコン５０７は、図２の特徴場面検出処理により検出されたグループを表すアイコンである。このアイコンをマウスポインタ５０１により選択することで、グループが選択される。グループに属するアイコン５０８には、図２の特徴場面検出処理により検出した静止画像とその静止画像のタイムコード及び特徴量を表示する。
【００４５】
図７は本実施形態の特徴場面検出装置１００の全ての映像のＴｏｔａｌ時間での表示を示す図である。図８は本実施形態の特徴場面検出装置１００のロール番号とロール内のタイムコードでの表示を示す図である。グループアイコン５０７及びグループに属するアイコン５０８の下に表示されるタイムコードは、図７の様に、複数の映像で連続した映像全体の継続時間として表示する場合と、図８の様に、その映像の名称とタイムコードの組みで表示される場合がある。
【００４６】
検出順序表示領域５１５は、複数の映像の検出順序を表す領域であり、映像長さ５１０によりその映像の長さを表し、映像名称５１６によりその映像の名称を表している。検出した結果を全て消去したい場合は、初期化ボタン５０９を押すことにより消去処理が実行される。又、ポインタ５１１により各映像の結合部分が指定された場合には、検出結果中の複数の映像の任意の位置に対して、新しい映像から検出した結果を付加するものとする。前記の検出した結果を付加する位置は、検出対象となる映像の全てに一意のタイムコードが書き込まれている場合、自動的に行うことも可能である。
【００４７】
映像再生ボタン５１４は、検出結果の映像の確認操作を行う為のボタンである。グループを選択して、このボタンを押下することにより、グループの開始時刻を表すタイムコードから、グループの終了時刻を表すタイムコードまでの間、映像の再生を行う。
【００４８】
映像再生方法５１２及び５１３は、映像表示領域５０２に表示する映像の再生方法を表している。映像再生方法５１３は、赤の色の変更を行う為のボタンであり、このボタンが押されていると、赤の色を変更した映像を映像表示領域５０２に表示する処理を行う。又、映像再生方法５１２は、スロー再生を行う為のボタンであり、このボタンが押されていると、映像表示領域５０２に映像をゆっくり表示する処理を行う。
【００４９】
図９は本実施形態の映像再生処理の処理手順を示すフローチャートである。次に図９により映像再生処理のフローチャートについて説明する。この処理を開始する前には、必ず、図２の特徴場面検出処理により検出結果が作成されているものとする。この処理は、グループアイコン５０７を選択し、映像再生ボタン５１４を押すことにより実行される。
【００５０】
この処理が実行されると映像取得処理部１１２は、グループの先頭の映像番号ＲｏｌｌＣｎｔsとタイムコードＴＣsを取得し（ステップ９０１）、更にグループの終わりの映像番号ＲｏｌｌＣｎｔeとタイムコードＴＣeを取得する（ステップ９０２）。そして、ＲｏｌｌＣｎｔsを現在の映像番号を表すＲｏｌｌＣｎｔiに記憶する（ステップ９０３）。
【００５１】
次に、映像再生装置１０９に対してＲｏｌｌＣｎｔs番目の映像がセットされるのを待つ（ステップ９０４）。そして、映像再生装置１０９に対してタイムコードＴＣsと対応する位置まで映像の早送り、又は巻き戻しを行う（ステップ９０５）。
【００５２】
続いて、ステップ９０５で設定した位置より再生を開始し、ステップ９０６により順次、静止画像ｆiとそのタイムコードＴＣiを取得する。そしてステップ９１１により静止画像ｆiを表示する。
【００５３】
最後にステップ９１２、ステップ９１３、ステップ９１７により映像の再生を続行するか判定する。始めにステップ９１２により、現在の映像番号ＲｏｌｌＣｎｔiがグループの終わりの映像番号ＲｏｌｌＣｎｔeより小さいかどうかを判定する。ここで、現在の映像番号がグループの終わりの映像番号より小さい場合、更に、その映像番号の映像が最後まで再生されたかをステップ９１３で判定し、現在の映像番号の映像が全て再生されていない場合、ステップ９０６からの処理を続行する。一方、現在の映像番号の映像が全て再生された場合は、ステップ９０６を続行する前に次の映像番号の映像をセットし、この映像番号の映像の開始位置のタイムコードＴＣrsを映像再生装置１０９に設定する処理を行う(ステップ９１４〜ステップ９１６)。
【００５４】
前記のステップ９１２で、現在の映像番号がグループの終わりの映像番号と等しい場合、現在の映像のタイムコードＴＣiがグループの終わりのタイムコードＴＣeより大きいかどうかを判定し、ＴＣiがＴＣeより小さいか若しくは等しい場合にステップ９０６からの処理を続行する。また、ＴＣiがＴＣeより大きい場合には映像の再生を停止して処理を終了する。以上の処理により映像の再生処理を行う。
【００５５】
次に映像を再生して確認する為の処理方法について説明する。この処理は、ステップ９０６とステップ９１１の間にステップ９０７からステップ９１０までの処理を追加することにより実現される。
【００５６】
始めに赤の色を変更する方法について説明する。この処理は、図５の映像再生方法５１３のボタンが選択されている場合に実行される。図９のフローチャートのステップ９０７で特徴場面再生処理部１１３は、映像再生方法５１３のボタンが選択されているかを判定し、その結果、そのボタンが選択されていた場合には赤の色の変更処理を行う（ステップ９０８）。
【００５７】
図１０は本実施形態の色情報変更の概要を示す図である。実際に赤の色を変更する方法としては、図１０の様なＨＩＳ（色相、彩度、明度）カラーモデルの空間の一部１００１が変更を行う赤色の範囲であったとすると、カラーモデルの空間の一部１００１とそれ以外の空間の境をしきい値として、カラーモデルの空間の一部１００１に属する色１００２を、その値にもっとも近い赤色の範囲外の色１００３に置き換える方法が考えられる。
【００５８】
次に映像を低速で再生する処理について説明する。この処理は、図５の映像再生方法５１２のボタンが選択されている場合に実行される。図９のフローチャートのステップ９０９で特徴場面再生処理部１１３は、映像再生方法５１２のボタンが選択されているかを判定し、その結果、そのボタンが選択されていた場合には映像の低速再生処理を行う（ステップ９１０）。
【００５９】
図１１は本実施形態の特徴場面スロー再生の概要を示す図である。実際の低速再生処理としては、図１１に示した映像１１０１の一部である映像１１０２を再生する場合に、映像１１０２の各静止画像の間をｎ秒間停止させながら再生する方法が考えられる。停止する秒数ｎは、例えば、グループに分類する時に使用した１秒間の平均検出回数のしきい値より数１の様に求めることができる。
【００６０】
【数１】
0003893858.tif 000002
上記の数１による方法は、ｎを求める一例であり、単純に低速に再生する場合には、ｎを１以上の固定値として行うことで、内容に依存しない再生が行える。
【００６１】
以上説明した様に本実施形態の特徴場面検出装置によれば、複数に分割して記録された映像を一連の映像と見なして特徴場面の検出を行うので、複数の映像に跨った特徴場面の検出を行うことが可能である。
【００６２】
また本実施形態の特徴場面検出装置によれば、特定の特徴場面のグループを通常の再生方法とは異なる再生方法で再生するので、特徴場面の内容を確認する際に、確認者がその特徴場面の影響を受けない様に当該特徴場面の再生を行うことが可能である。
【００６３】
【発明の効果】
本発明によれば複数に分割して記録された映像を一連の映像と見なして特徴場面の検出を行うので、複数の映像に跨った特徴場面の検出を行うことが可能である。
【図面の簡単な説明】
【図１】本実施形態の特徴場面検出装置のシステム構成を示す図である。
【図２】本実施形態の特徴場面検出処理の処理手順を示すフローチャートである。
【図３】本実施形態の検出時のデータのデータ構造を示す図である。
【図４】本実施形態の検出処理終了後のデータ構造を示す図である。
【図５】本実施形態の特徴場面検出装置のユーザインタフェースを示す図である。
【図６】本実施形態の映像と特徴場面検出処理の検出結果の対応を示す図である。
【図７】本実施形態の特徴場面検出装置の全ての映像のＴｏｔａｌ時間での表示を示す図である。
【図８】本実施形態の特徴場面検出装置のロール番号とロール内のタイムコードでの表示を示す図である。
【図９】本実施形態の映像再生処理の処理手順を示すフローチャートである。
【図１０】本実施形態の色情報変更の概要を示す図である。
【図１１】本実施形態の特徴場面スロー再生の概要を示す図である。
【符号の説明】
１００…特徴場面検出装置、１０１…ＣＰＵ、１０２…メモリ、１０３…補助記憶装置、１０４…ディスプレイ装置、１０５…キーボード、１０６…マウス、１０７…映像入力装置、１０８…インタフェース、１０９…映像再生装置、１１０…特徴場面検出処理部、１１１…特徴場面分類処理部、１１２…映像取得処理部、１１３…特徴場面再生処理部、３０１…要素、３０２…映像番号、３０３…タイムコード、３０４…タイムコード、３０５…特徴場面のリスト、３０６…次の要素へのポインタ、３０７…先頭データ、３０８…特徴場面、４０１…グループリスト、４０２…グループを表す要素、４０３…リスト、４０４…特徴場面を表す要素、５０１…マウスポインタ、５０２…映像表示領域、５０３…検出操作開始ボタン、５０４…検出操作終了ボタン、５０５…特徴場面一覧領域、５０６…スクロールバー、５０７…グループアイコン、５０８…グループに属するアイコン、５０９…初期化ボタン、５１０…映像長さ、５１１…ポインタ、５１２及び５１３…映像再生方法、５１４…映像再生ボタン、５１５…検出順序表示領域、５１６…映像名称、６０１及び６０２…静止画像、１００１…カラーモデルの空間の一部、１００２…カラーモデルの空間の一部１００１に属する色、１００３…赤色の範囲外の色、１１０１…映像、１１０２…映像。
【図１】
0003893858.tif 000003
【図２】
0003893858.tif 000004
【図３】
0003893858.tif 000005
【図４】
0003893858.tif 000006
【図５】
0003893858.tif 000007
【図６】
0003893858.tif 000008
【図７】
0003893858.tif 000009
【図８】
0003893858.tif 000010
【図９】
0003893858.tif 000011
【図１０】
0003893858.tif 000012
【図１１】
0003893858.tif 000013